(57)【要約】  【課題】  同じコンテンツがHDD１、SDカード１０２の双方に記録されている場合、重複部分をユーザに視聴させることなく、一方の媒体における再生の続きを、他方の媒体で行わせることができる再生装置を提供する。  【解決手段】  SDカード１０２が再生装置に装着された場合、SDカード１０２におけるレジューム位置と、HDD１におけるレジューム位置とが同期するよう、HDD１及びSDカード１０２におけるレジューム情報を更新する。こうして更新されたレジューム位置情報に示されるレジューム位置から再生を行えば、重複部分を視聴しなくてもよい。
2006527455.tif 000002
【特許請求の範囲】
【請求項１】
第１動画コンテンツと、当該第１動画コンテンツのレジューム位置を示す第１レジューム位置情報とが記録されている内蔵媒体と、
可搬媒体と接続する接続手段と、
可搬媒体に、第２動画コンテンツと、当該動画コンテンツのレジューム位置を示す第２レジューム位置情報とが記録されている場合、可搬媒体における第２動画コンテンツと、内蔵媒体における第１動画コンテンツとの同一性の有無を判定する判定手段と、
両動画コンテンツに同一性があれば、可搬媒体におけるレジューム位置と、内蔵媒体におけるレジューム位置とが同期するよう、内蔵媒体及び可搬媒体における第１及び第２レジューム位置情報のうち何れか一方を更新する更新手段と、
更新された第１又は第２レジューム位置情報に示されるレジューム位置から、第１又は第２動画コンテンツの再生を行う再生手段と
を備えることを特徴とする再生装置。
【請求項２】
内蔵媒体には、第１動画コンテンツの録画日時を示す第１録画日時情報が記録されており、
可搬媒体における第２動画コンテンツは、内蔵媒体に記録された第１動画コンテンツをコピーしたものであり、
可搬媒体には、内蔵媒体に記録された第２動画コンテンツのコピー元が内蔵媒体に記録された録画日時を示す第２録画日時情報が記録されており、
前記判定手段による同一性の判定は、内蔵媒体の第１録画日時情報に示される録画日時と、可搬媒体の第１録画日時情報に示される録画日時とが一致しているか否かの判定を含む、請求項１記載の再生装置。
【請求項３】
再生装置は、内蔵媒体における第１動画コンテンツをコピーするコピー手段を備え、
内蔵媒体には、第１動画コンテンツがコピーされたコピー先記録媒体の識別子が記録されており、
前記判定手段による同一性の判定は、内蔵媒体におけるコピー先記録媒体の識別子と、接続手段により接続された可搬媒体における識別子とが一致しているかの判定を含む
ことを特徴とする請求項１記載の再生装置。
【請求項４】
内蔵媒体には、第１動画コンテンツがコピーされたコピー先記録媒体の識別子が複数記録されており、
個々の識別子には、複数ユーザ毎のレジューム位置情報が対応づけられており、
前記判定手段による同一性の判定は、複数コピー先記録媒体の複数の識別子の中に、接続手段により接続された可搬媒体における識別子と一致しているものが存在するかどうかの判定によりなされ、
前記更新手段は、内蔵媒体上の第１又は第２レジューム位置情報のうち、内蔵媒体における複数識別子のうち、接続手段に接続された可搬媒体における識別子と一致しているものに対応するレジューム位置情報を更新する
ことを特徴とする請求項３記載の再生装置。
【請求項５】
前記再生装置は、
内蔵媒体及び可搬媒体における第１又は第２レジューム位置情報のうち、一方のレジューム位置情報に示されるレジューム位置を、チャプターとして他方に登録する登録手段を備え、
前記再生手段は、ユーザの頭だし操作に応じてチャプタージャンプを行い、内蔵媒体又は可搬媒体における動画コンテンツを再生する
ことを特徴とする請求項１記載の再生装置。
【請求項６】
前記判定手段は更に、
可搬媒体に動画コンテンツは記録されていないが、第２動画コンテンツが削除された旨を示す削除済み情報が可搬媒体に記録されている場合、その削除された第２動画コンテンツが、内蔵媒体に記録されている第１動画コンテンツと同一のものであるかを判定し、
前記再生装置は、
両動画コンテンツが同一であれば、内蔵媒体における第１動画コンテンツを削除する削除手段
を備えることを特徴とする請求項１記載の再生装置。
【請求項７】
前記再生装置は、
同期されたレジューム位置が、第１又は第２動画コンテンツの末尾を示しているかを判定する判定手段と、
末尾を示しているなら、内蔵媒体及び可搬媒体における第１又は第２動画コンテンツ双方、又は、一方を削除する削除手段と
を備えることを特徴とする請求項１記載の再生装置。
【請求項８】
前記再生手段は、
接続手段に可搬媒体が新たに接続された際、可搬媒体上のレジューム位置情報に示されるレジューム位置から、可搬媒体又は内蔵媒体上の第１又は第２動画コンテンツの再生を行い、
前記更新手段は、
可搬媒体を再生装置から取り外す旨の操作を行おうとした場合、可搬媒体におけるレジューム位置と、内蔵媒体におけるレジューム位置とを同期させるよう、内蔵媒体及び可搬媒体の第１又は第２レジューム位置情報のうち、何れか一方におけるレジューム位置情報を更新する
ことを特徴とする請求項１記載の再生装置。
【請求項９】
可搬媒体上の第２動画コンテンツは、内蔵媒体における第１動画コンテンツのうち、内蔵媒体側の第１レジューム位置情報により示されるレジューム位置以降の部分を、コピーすることで得られたものである
ことを特徴とする請求項１記載の再生装置。
【請求項１０】
内部媒体上の動画コンテンツのうち、レジューム位置以降の部分を、録画日時情報と共に可搬媒体にコピーするコピー手段を備え、
前記判定手段による同一性の判定は、
内蔵媒体の録画日時情報に示される録画日時と、可搬媒体の録画日時情報に示される録画日時とが一致しているか否かの判定を含む
ことを特徴とする請求項１記載の再生装置。
【請求項１１】
前記再生装置は、
更新手段によりレジューム位置情報が更新された場合、内蔵媒体及び可搬媒体における第１又は第２動画コンテンツの双方、又は、一方のうち、動画コンテンツ先頭から、そのレジューム位置までの部分を削除する削除手段と
を備えることを特徴とする請求項１記載の再生装置。
【請求項１２】
レジューム位置情報は、動画コンテンツ上の再生時刻を用いてレジューム位置を表現しており、
更新手段による更新は、
第１及び第２動画コンテンツに同一性があると、判定手段が判定した際、内部媒体のレジューム位置情報及び可搬媒体の第１及び第２レジューム位置情報のうち一方のものにより示される再生時刻から所定時間を減じ、所定時間が減じられた再生時刻を用いて、他方のレジューム位置情報を書き  換えることでなされる
ことを特徴とする請求項１記載の再生装置。
【請求項１３】
可搬媒体には、第２動画コンテンツ上の任意の位置をブックマークとして指定するブックマーク情報が記録されており、
前記更新手段は、
内蔵媒体側の第１レジューム位置情報及び可搬媒体側の第２レジューム位置情報を更新するにあたって、可搬媒体に記録されているブックマーク情報を内蔵媒体にコピーし、
前記再生手段は、
ユーザにより所定の操作がなされた場合、内蔵媒体にコピーされたブックマーク情報により示される位置から、第１動画コンテンツを再生する
ことを特徴とする請求項１記載の再生装置。
【請求項１４】
前記内蔵媒体において動画コンテンツ及びレジューム位置情報は、同一のファイルに格納されており、
前記再生装置は、
動画コンテンツ及びレジューム位置情報を格納したファイルを、可搬媒体にコピーするコピー手段を備え、
内蔵媒体に格納されているファイルと同じファイルをもつ可搬媒体が接続手段に接続した際、前記更新手段は、内蔵媒体のレジューム位置が、可搬媒体のレジューム位置に同期するよう内蔵媒体及び可搬媒体に存在する、同じファイル内に含まれるレジューム位置情報に対し更新を行う
ことを特徴とする請求項１記載の再生装置。
【請求項１５】
前記内蔵媒体において動画コンテンツ及びレジューム位置情報は、別々のファイルに格納されており、
前記再生装置は、
動画コンテンツを格納したファイル及びレジューム位置情報を格納したファイルを、可搬媒体にコピーするコピー手段を備え、
前記更新手段は、
第１動画コンテンツと、第２動画コンテンツとに同一性があると判定手段が判定した場合、第１動画コンテンツ、又は、第２動画コンテンツを含むファイルと異なるファイルに含まれる第１及び第２レジューム位置情報のどちらかを、内蔵媒体のレジューム位置が、可搬媒体のレジューム位置に同期するよう、更新する  ことを特徴とする請求項１記載の再生装置。
【請求項１６】
前記可搬媒体においてレジューム位置情報は複数記録されており、
個々のレジューム位置情報には、機器識別子が対応づけられており、
更新手段により更新されるのは、第１レジューム位置情報及び第２レジューム位置情報のうち、自機の識別子が対応づけられているものである
ことを特徴とする請求項１記載の再生装置。
【請求項１７】
第１動画コンテンツと、当該第１動画コンテンツのレジューム位置を示すレジューム位置情報とが記録されている内蔵媒体を有するコンピュータに、第１動画コンテンツを再生させるコンピュータ読取可能なプログラムであって、
可搬媒体との接続を検出する検出ステップと、
可搬媒体に、第２動画コンテンツと、当該第２動画コンテンツのレジューム位置を示す第２レジューム位置情報とが記録されている場合、可搬媒体における第２動画コンテンツと、内蔵媒体における第１動画コンテンツとの同一性の有無を判定する判定ステップと、
第１及び第２動画コンテンツに同一性があれば、可搬媒体におけるレジューム位置と、内蔵媒体におけるレジューム位置とが同期するよう、内蔵媒体及び可搬媒体における第１及び第２レジューム位置情報のうち何れか一方を更新する更新ステップと、
更新された第１又は第２レジューム位置情報に示されるレジューム位置から、第１又は第２動画コンテンツの再生を行う再生ステップと
をコンピュータに行わせることを特徴とするコンピュータ読取可能なプログラム。
【請求項１８】
第１動画コンテンツと、当該第１動画コンテンツのレジューム位置を示すレジューム位置情報とが記録されている内蔵媒体、可搬媒体と接続する接続手段を有する録画装置に設けられる集積回路であって、
可搬媒体に、第２動画コンテンツと、当該第２動画コンテンツのレジューム位置を示す第２レジューム位置情報とが記録されている場合、可搬媒体における第２動画コンテンツと、内蔵媒体における第１動画コンテンツとの同一性の有無を判定する判定手段と、
両動画コンテンツに同一性があれば、可搬媒体におけるレジューム位置と、内蔵媒体におけるレジューム位置とが同期するよう、内蔵媒体及び可搬媒体における第１及び第２レジューム位置情報のうち何れか一方を更新する更新手段と、
更新された第１又は第２レジューム位置情報に示されるレジューム位置から、第１又は第２動画コンテンツの再生を行う再生手段と
を備えることを特徴とする集積回路。
【発明の詳細な説明】
【技術分野】
【０００１】
本発明は、動画コンテンツを再生する再生装置、プログラム、集積回路に関し、内蔵媒体と、可搬媒体とに書き込まれた動画コンテンツを、ユーザに視聴させる技術に関する。
【背景技術】
【０００２】
近年の再生装置には、モバイル対応を実現しようとする新たな試みがみられる。再生装置は、放送されたコンテンツをMPEG2形式に圧縮符号化して自機に内蔵されているハードディスク(HD)に書き込むという処理を行う。再生装置によるモバイル対応は、HDに記録されるべきコンテンツを、MPEG4形式でSDメモリカードに書き込むことにより実現される。
MPEG4形式は、MPEG2形式と符号化アルゴリズムが異なり、符号化ビットレートはMPEG2形式に比べて格段に低い。符号化ビットレートが低いため、256Mバイトの容量に過ぎないSDメモリカードでも1時間、2時間長のコンテンツを充分記録しておくことができる。
【０００３】
SDメモリカードへの書き込みにより、ユーザはPDAや携帯電話にてSDメモリカードからコンテンツを再生させることができる。場所や時間を選ばず、コンテンツを視聴することができるので、通勤の途中や仕事の合間に、ニュース番組をSDメモリカードから再生させることもでき、ユーザにとっての利便性が増す。
【特許文献１】特開2001-249694号公報
【発明の開示】
【発明が解決しようとする課題】
【０００４】
ところで同じコンテンツが、SDメモリカード、HDの双方に記録されると、これら2つの媒体上のコンテンツをユーザが別々に視聴して、一方の再生が進み他方の再生が遅れるという事態が頻発する。ユーザの外出が多ければSDメモリカードにおける視聴位置が進むだろうし、ユーザが家にいる期間が長ければHDにおける視聴位置が先に進む。どちらが先に進かは、ユーザ個人のライフスタイルにより千差万別であり、一概にいえない。再生進行が記録媒体毎に異なると、SDメモリカード、HDのうち一方で再生した続きを、他方で視聴しようとする場合、既に視聴している部分を重複して視聴してしまうということが頻繁に有り得る。「SDメモリカードにコピーしたのなら、在宅時にもSDメモリカードから再生すればよいのではないか」と思うかもしれない。しかしSDメモリカードへの記録は、MPEG2形式からMPEG4形式への変換が伴い、符号化ビットレートが低くなるので、画質劣化が生じることがある。画質劣化が生じ得るため、SDメモリカードでの視聴をユーザに強要するのは望ましいことではない。
【０００５】
本発明の目的は、同じコンテンツが2つの記録媒体に記録されている場合、重複部分をユーザに視聴させることなく、一方の記録媒体における再生の続きを、他方の記録媒体で行わせることができる再生装置を提供することである。
【課題を解決するための手段】
【０００６】
上記目的は、第１動画コンテンツと、当該第１動画コンテンツのレジューム位置を示す第１レジューム位置情報とが記録されている内蔵媒体と、可搬媒体と接続する接続手段と、可搬媒体に、第２動画コンテンツと、当該動画コンテンツのレジューム位置を示す第２レジューム位置情報とが記録されている場合、可搬媒体における第２動画コンテンツと、内蔵媒体における第１動画コンテンツとの同一性の有無を判定する判定手段と、両動画コンテンツに同一性があれば、可搬媒体におけるレジューム位置と、内蔵媒体におけるレジューム位置とが同期するよう、内蔵媒体及び可搬媒体における第１及び第２レジューム位置情報のうち何れか一方を更新する更新手段と、更新された第１又は第２レジューム位置情報に示されるレジューム位置から、第１又は第２動画コンテンツの再生を行う再生手段とを備えた再生装置により達成される。
【発明の効果】
【０００７】
コピー操作により内蔵媒体、可搬媒体の双方にコンテンツが記録されている場合、これらの視聴位置を同期させるよう更新手段が更新を行う。そのため、可搬媒体側の再生が進んでいる場合であっても、内蔵媒体側の再生が進んでいる場合であっても、ユーザは重複部分を視聴せずに済む。
ここで内蔵媒体には、第１動画コンテンツの録画日時を示す第１録画日時情報が記録されており、可搬媒体における第２動画コンテンツは、内蔵媒体に記録された第１動画コンテンツをコピーしたものであり、可搬媒体には、内蔵媒体に記録された第２動画コンテンツのコピー元が内蔵媒体に記録された録画日時を示す第２録画日時情報が記録されており、前記判定手段による同一性の判定は、内蔵媒体の第１録画日時情報に示される録画日時と、可搬媒体の第１録画日時情報に示される録画日時とが一致しているか否かの判定を含んでいてもよい。
【０００８】
録画日時というパラメータを用いて、コンテンツの同一性を判定しているので、再生装置はかって自機が内蔵媒体に録画したコンテンツと、その複製物との同一性を簡易かつ確実に判定することができる。
ここで再生装置は、内蔵媒体における第１動画コンテンツをコピーするコピー手段を備え、内蔵媒体には、第１動画コンテンツがコピーされたコピー先記録媒体の識別子が記録されており、前記判定手段による同一性の判定は、内蔵媒体におけるコピー先記録媒体の識別子と、接続手段により接続された可搬媒体における識別子とが一致しているかの判定を含んでいてもよい。
【０００９】
記録媒体の識別子を用いて録画コンテンツの同一性を判定するので、同じコンテンツが複数の可搬媒体にコピーされた場合でも、それらを混同することなく、コンテンツの同一性を判定することができる。
ここで内蔵媒体には、第１動画コンテンツがコピーされたコピー先記録媒体の識別子が複数記録されており、個々の識別子には、複数ユーザ毎のレジューム位置情報が対応づけられており、前記判定手段による同一性の判定は、複数コピー先記録媒体の複数の識別子の中に、接続手段により接続された可搬媒体における識別子と一致しているものが存在するかどうかの判定によりなされ、前記更新手段は、内蔵媒体上の第１又は第２レジューム位置情報のうち、内蔵媒体における複数識別子のうち、接続手段に接続された可搬媒体における識別子と一致しているものに対応するレジューム位置情報を更新してもよい。
【００１０】
この再生装置によれば、1つの録画コンテンツに、視聴位置情報及びコピー履歴の組みを複数設け、個々のユーザ毎に、視聴位置情報の同期を行うので、マルチユーザ環境を構築することができる。
ここで前記再生装置は、内蔵媒体及び可搬媒体における第１又は第２レジューム位置情報のうち、一方のレジューム位置情報に示されるレジューム位置を、チャプターとして他方に登録する登録手段を備え、前記再生手段は、ユーザの頭だし操作に応じてチャプタージャンプを行い、内蔵媒体又は可搬媒体における動画コンテンツを再生してもよい。
【００１１】
可搬媒体及び内蔵媒体の一方において、ユーザが再生を停止した位置を、他方においてチャプターとして登録するので、かって視聴した位置まで、巻き戻すとの操作を行わずとも、お気に入りのシーンへの視聴を自由に行うことができる。
ここで前記判定手段は更に、可搬媒体に動画コンテンツは記録されていないが、第２動画コンテンツが削除された旨を示す削除済み情報が可搬媒体に記録されている場合、その削除された第２動画コンテンツが、内蔵媒体に記録されている第１動画コンテンツと同一のものであるかを判定し、前記再生装置は、両動画コンテンツが同一であれば、内蔵媒体における第１動画コンテンツを削除する削除手段を備えていてもよい。
【００１２】
可搬媒体及び内蔵媒体のうち一方においてコンテンツが削除された場合、他方におけるコンテンツを自動的に削除するので、内蔵媒体及び可搬媒体における領域が、コンテンツ及びその複製物により不当に占有されることはない。
ここで前記再生装置は、同期されたレジューム位置が、第１又は第２動画コンテンツの末尾を示しているかを判定する判定手段と、末尾を示しているなら、内蔵媒体及び可搬媒体における第１又は第２動画コンテンツ双方、又は、一方を削除する削除手段とを備えていてもよい。
【００１３】
末尾まで再生されたコンテンツを、自動的に削除するので、ニュースやバラエティ等、毎日、毎週というように逐次新たなものが放送されるコンテンツにより、可搬媒体及び内蔵媒体が占有されることを避けることができる。
【発明を実施するための最良の形態】
【００１４】
(第１実施形態)
以降、本発明に係る再生装置の実施形態について説明する。先ず始めに、本発明に係る再生装置の実施行為のうち、使用行為についての形態を説明する。本実施形態に係る再生装置は、HDレコーダであり、図１に示すようなシステムでユーザの使用に供される。図１に示すシステムは、HDレコーダ１００、TV１０１、SDカード１０２、SD-Viewer１０３から構成される。
【００１５】
HDレコーダ１００は、放送コンテンツを受信してMPEG2形式に変換し、録画コンテンツとしてHDに書き込む装置であり、HDに書き込まれた録画コンテンツの再生、削除を行うことができる。またHDレコーダ１００は、HDに書き込まれた放送コンテンツと同じ放送コンテンツを、SDカード１０２に書き込むことができる。
TV１０１は、HDレコーダ１００による再生出力の表示を行う。
【００１６】
SDカード１０２は、HDDに記録されている録画コンテンツと同じものが記録される。HDDにおける録画コンテンツとの違いは、動画ストリームの形式の違いである。HDDにおける録画コンテンツは、動画ストリームがMPEG2形式であるのに対し、SDカード１０２における録画コンテンツはMPEG4形式である。MPEG4形式はMPEG2形式と比較して符号化ビットレートが低い。そのためSDカード１０２の録画コンテンツは、HDD上のそれと比較して画質が劣ることがある。
【００１７】
SD-Viewer１０３は、SDカード１０２に書き込まれた録画コンテンツの再生、削除が可能な携帯機器である。このSD-Viewer１０３を屋外に持ち出すことで、ユーザはHDに書き込まれた放送コンテンツと同じ放送コンテンツを、屋外で視聴することができる。
以上が、HDレコーダ１００の使用行為の形態である。続いてHDレコーダ１００による再生の客体である、録画コンテンツについて説明する。
【００１８】
図２（ａ）は、本実施形態に係る録画コンテンツの構成を示す図である。図２（ａ）に示すように録画コンテンツは、『動画ストリーム』、『タイトル文字列』、『チャネル』、『録画日時』、『チャプター』、『レジューム情報』から構成される。そして任意的な構成要素としてコピー履歴を含む。
以下、録画コンテンツの構成要素について分説する。
【００１９】
『動画ストリーム』は、MPEG2形式又はMPEG4形式に変換された放送コンテンツである。
『タイトル文字列』は、ユーザが命名した録画コンテンツの名称を示すテキストコードである。
『チャネル』は、その放送コンテンツが放送された放送局を識別する情報である。
『録画日時』は、録画コンテンツが何時録画されたかを示す情報であり、録画開始日時、録画終了日時を含む。
【００２０】
『チャプター』は、放送コンテンツにおける頭出し位置を示す。このチャプターは、1つの録画コンテンツに対し、複数個設けておくことができる。チャプターを複数設けておけば、ユーザは様々な箇所から、録画コンテンツを再生させてゆくことができる。
『レジューム情報』は、未視聴か視聴済みか削除済みかを示し、視聴済みを示す場合は、最後に再生された位置を示す情報である。レジューム情報のビットアサインは図２（ｂ）の通りであり、オール0000 0000ならばレジューム情報は未視聴である旨を示す(この場合、レジューム情報は未視聴情報となる)。オールFFFF FFFFならば、録画コンテンツの本体部分にあたる動画ストリームを既に削除されたという事実を示す(この場合、レジューム情報は削除済み情報として扱われる)。オール0000 0000、オールFFFF FFFF以外ならレジューム情報は録画コンテンツにおける直前の視聴位置を示す(この場合、レジューム情報は視聴位置情報として扱われる)。レジューム情報は、録画コンテンツがSD-Viewer１０３、HDレコーダ１００により再生される度に、直前の視聴位置を示すように更新される。
【００２１】
『コピー履歴』とは、録画コンテンツがコピーされた場合、そのコピーの履歴を示す情報であり、コピーされたコンテンツの識別情報、コピー先となる可搬媒体の識別子とにより、コピーされたとの事実を示す。図３（ａ）は、コピー履歴の一例を示す図である。本図に示すようにコピー履歴は、録画日時を識別情報として用いて、コピーされた録画コンテンツを識別しており、コピー先となるSDカード１０２のMedia-IDを用いて、コピー先の記録媒体を識別している。Media-IDとは、各SDカードに割り当てられた、SDカード固有の識別子(ID)である。
【００２２】
コピー履歴を任意的な構成要素といったのは、コピー履歴はコピー操作があって初めて付加されるからである。コピー操作が無い限り、コピー履歴は録画コンテンツの構成要素になることはない。
HD上での録画コンテンツの形態を図３（ｂ）に示し、SDカード１０２上での録画コンテンツの形態を図３（ｃ）に示す。図３（ｂ）,（ｃ）を比較すると、HDにおける録画コンテンツには、コピー履歴が存在するが、SDカード１０２におけるコピー履歴は存在しない。これは、HDにおける録画コンテンツをコピー元としてコピーが行われるのに対し、SDカード１０２における録画コンテンツをコピー元としてコピーが行われることはないからである。
【００２３】
以上が録画コンテンツの説明である。続いてHDレコーダ１００の生産行為の形態について説明する。HDレコーダ１００は、主としてシステムLSIと、ドライブ装置というパーツからなり、これらのパーツを装置のキャビネット及び基板に実装することで工業的に生産することができる。システムLSIは、HDレコーダ１００の機能を果たす様々な処理部を集積した集積回路である。こうして生産されるHDレコーダ１００は、図４に示すようにHDレコーダ１００は、HDD１、チューナ２、A/Dコンバータ３、MPEG2エンコーダ４、MPEG2デコーダ５、OSDジェネレータ６、オーバレイ部７、D/Aコンバータ８、カードスロット９、MPEG4エンコーダ１０、MPEG4デコーダ１１、セレクタ１２、操作受付部１３、マイコンシステム１４を備える。MPEG2エンコーダ４、MPEG2デコーダ５、OSDジェネレータ６、カードスロット９、MPEG4エンコーダ１０、MPEG4デコーダ１１、マイコンシステム１４は、バス１５を介してバス型のトポロジ(接続形態)で相互接続される。
【００２４】
HDドライブ(HDD)１は、録画コンテンツが複数書き込まれる。HDD１における領域は、ファイルシステムにより管理されており、録画コンテンツ内の動画ストリームは、ファイルシステムの一個のファイルとして扱われる。従ってパソコンのファイルを削除するのと同じ要領で、ユーザは簡易に、録画コンテンツをHDD１から削除することができる。
チューナ２は、放送波の復調及び選局を行って、アナログ放送信号形式の放送コンテンツを出力する。
【００２５】
A/Dコンバータ３は、アナログ放送信号形式の放送コンテンツを、A/D変換して非圧縮デジタル形式にする。
MPEG2エンコーダ４は、非圧縮デジタル形式の放送コンテンツをMPEG2形式に従って圧縮符号化し、MPEG2形式の放送コンテンツを得る。こうした符号化により、放送コンテンツはMPEG2形式の動画ストリームになる。MPEG2エンコーダ４により得られたMPEG2形式の動画ストリームは、レジューム情報、録画日時と共にHDD１に書き込まれて録画コンテンツになる。
【００２６】
MPEG2デコーダ５は、MPEG2形式の動画ストリームを伸長して、非圧縮デジタル形式の放送コンテンツを得る。
OSDジェネレータ６は、マイコンシステム１４からの指示に従い、OSDを生成する。OSDとは、Look Up Table(LUT)に示された色(例えば24色)を、背景色,文字色として使用した描画された簡易グラフィックスである。OSDは、必要ある度に、HDレコーダ１００により生成され、ユーザ操作に伴って自由に書き換えられる。HDレコーダ１００は、録画コンテンツに関する情報を、このOSDで描画し、このユーザ操作に従って、このOSDを自由に書き換えることで、HDレコーダ１００による対話操作を実現する。
【００２７】
オーバレイ部７は、非圧縮デジタル形式の放送コンテンツに、OSDをオーバレイしてTV１０１に出力する。オーバレイ部７によるオーバレイは、一枚の画像を構成する水平ラインと、OSDの水平ラインとを混合することによりなされる。この混合にあたってオーバレイ部７は、混合率の設定次第で、ピクチャデータをOSDで覆い隠したり、ピクチャデータが透けてみえるようにすることもできる。
【００２８】
D/Aコンバータ８は、非圧縮デジタル形式の放送コンテンツをアナログの映像信号形式の放送コンテンツに変換する。
カードスロット９は、コネクタを介してSDカード１０２と物理的に接続する。HDD１の領域がファイルシステムで管理されていることは上述した通りだが、ファイルシステムで領域管理がなされていることはSDカード１０２も同様であり、SDカード１０２における録画コンテンツ内の動画ストリームも、HDD１と同様、削除、再生することができる。
【００２９】
MPEG4エンコーダ１０は、非圧縮デジタル形式の放送コンテンツをMPEG4形式に従ってエンコードしてMPEG4形式の放送コンテンツを得る。MPEG4エンコーダ１０のエンコードの対象には、アナログ放送信号形式の放送コンテンツをA/Dコンバータ３が非圧縮デジタル形式に変換したもの(1)、一旦HDD１に書き込まれたMPEG2形式の放送コンテンツを、MPEG2デコーダ５が非圧縮デジタル形式の放送コンテンツに変換したもの(2)の2種類がある。前者のエンコードは、録画コンテンツの書込先をSDカード１０２に選んだ際になされ、後者のエンコードは、一旦HDD１に書き込まれた放送コンテンツを、再エンコードしてコピーする場合になされる。MPEG4エンコーダ１０のエンコードにて得られた放送コンテンツは、カードスロット９に装着されたSDカード１０２に書き込まれる。
【００３０】
MPEG4デコーダ１１は、カードスロット９に装着されたSDカード１０２に、録画コンテンツが存在する場合、その録画コンテンツ内のMPEG4形式のデジタルストリームをデコードして非圧縮デジタル形式の放送コンテンツを得る。
セレクタ１２は、マイコンシステム１４の制御に従い、チューナ２から出力されたアナログ放送信号形式の放送コンテンツを、MPEG2エンコーダ４、MPEG4エンコーダ１０の両方又は何れか一方に出力する。またセレクタ１２は、MPEG2デコーダ５、MPEG4デコーダ１１からの出力の双方又は何れか一方を、オーバレイ部７に出力する。
【００３１】
操作受付部１３は、リモコンやHDレコーダ１００のフロントパネルに対してなされたユーザ操作を受け付ける。
マイコンシステム１４は、CPU、プログラムを格納したROM、RAMからなる典型的なコンピュータシステムである。ROMに格納されたプログラムがCPUに読み込まれ、プログラムと、ハードウェア資源とが協動することにより、使用目的に応じた情報の演算又は加工を実現する。ここでの使用目的には、録画、再生、コピー、削除、対話操作といったものがあり、プログラムと、ハードウェア資源(HDD１〜セレクタ１２)とが協動した具体的手段が、使用目的に応じた情報の加工又は演算を行うことで、使用目的に応じた特有の情報処理装置(HDレコーダ１００)が構築される。
【００３２】
図５は、プログラムと、ハードウェア資源とが協動した具体的手段を機能的に記載した構成図である。マイコンシステム１４は、本図に示すように録画制御部１６、コピー制御部１７、再生制御部１８、削除制御部１９、対話操作制御部２０からなる。
録画制御部１６は、HDレコーダ１００における録画処理を制御する。録画制御部１６による録画制御は、アナログ放送信号形式の放送コンテンツをチューナ２に受信させ、これを非圧縮デジタル形式に変換させるようA/Dコンバータ２に指示してから、MPEG2エンコーダ４に、エンコード処理を行わせることでなされる。
【００３３】
コピー制御部１７は、録画装置におけるコピー処理を制御する。コピー制御部１７によるコピー制御の特徴は、MPEG2形式でHDD１に書き込まれた録画コンテンツを、非圧縮デジタル形式に変換するようMPEG2デコーダ５を制御し、変換された非圧縮デジタル形式の録画コンテンツをMPEG4形式に変換するようMPEG4エンコーダ１０を制御してSDカード１０２に書き込むことである。MPEG2形式からMPEG4形式への形式変換を伴うので、録画コンテンツのサイズをより小さくした上で、SDカード１０２に書き込むことができる。
【００３４】
再生制御部１８は、録画装置における再生処理を制御する。再生制御部１８による再生処理の特徴は、レジューム情報の更新にある。本来、レジューム情報はMPEG2デコーダ５にて録画コンテンツの再生が開始され、停止した時点で直前の視聴位置を示すよう更新を受ける。それだけではなく、SDカード１０２側の視聴位置と同期するよう、レジューム情報は更新される。SDカード１０２側の視聴位置に同期するようにレジューム情報を更新することで、SDカード１０２側で視聴した続きをHDD１側で視聴するという「リレー視聴」が実現されることになる。
【００３５】
削除制御部１９は、録画装置における削除処理を制御する。削除制御部１９による削除の特徴は、二段階の過程を経てなされる点である。一段階目の削除は、録画コンテンツのうち大きなサイズを占める動画ストリームを削除し、削除済みを示すFFFF FFFFをレジューム情報に設定するというものである。録画コンテンツにおいて大きなサイズを占める動画ストリームを削除することで、HDD１やSDカード１０２の容量を確保することができる。その一方、録画日時やレジューム情報は、HDD１やSDカード１０２に残ることになる。これは動画ストリームが削除された事実を示しておくためである。SDカード１０２及びHDD何れか一方で削除されたとはいえ、他方には同じ録画コンテンツが存在している。これを同期して削除するべく、「削除がなされた」との事実を示す削除済み情報を残すようにしている。
【００３６】
二段階目の削除とは、録画日時やレジューム情報を含む録画コンテンツを、HDD１及びSDカード１０２から一斉に削除することである。HDD１及びSDカード１０２の双方から録画コンテンツを一斉に消すので、HDD１及びSDカード１０２の容量を大きく確保することができる。以上がマイコンシステム１４による録画コンテンツ削除の特徴である。
対話操作制御部２０は録画装置における対話操作を制御する。対話操作制御部２０による対話操作の制御は、”コンテンツナビ”とよばれるOSDをOSDジェネレータ６に生成させ、オーバレイ部７にオーバレイさせることで行われる。コンテンツナビとは、録画コンテンツを図形的に表現したGUI(Graphical User Interface)部品であり、図６（ａ）にそのフォーマットを示す。図６（ａ）に示すように、コンテンツナビは状態欄と、録画日時欄と、チャネル欄と、タイトル欄とからなり、録画日時欄、チャネル欄、タイトル欄にはそれぞれ録画コンテンツの録画日時、チャネル、タイトルが記述される。状態欄には、録画コンテンツが未視聴であるか、視聴済みであるか、コピー済みであるかがレジューム情報、コピー履歴に基づき記述される。GUI部品なので、操作受付部１３が受け付けたユーザ操作に応じてコンテンツナビの状態は変化する。コンテンツナビの状態には、ノーマル状態、フォーカス状態という2つの状態がある。ノーマル状態とは、ユーザの選択対象になっていない状態であり、フォーカス状態は、リモコンの矢印キーにより、操作の対象として指定された状態である。リモコンに対する操作に従って、各コンテンツナビの状態を変化させることで、OSD、リモコンからなるGUI環境をユーザに提供することができる。図６（ｂ）は、コンテンツナビにおける状態欄、録画日時欄、チャネル欄、タイトル欄を、具体例に置き換えて描いた図である。本図では、「海外ニュース」,「株式市況」,「ヘッドラインニュース」,「朝のドラマ」,「ワイドショー」という録画コンテンツのコンテンツナビを示している。これらのコンテンツナビの状態欄を見ると、「海外ニュース」,「株式市況」は視聴済みであり、「ヘッドラインニュース」はコピー済み、「朝のドラマ」,「ワイドショー」は未視聴であることがわかる。以上がマイコンシステム１４による対話的操作の制御である。
【００３７】
以上のマイコンシステム１４による制御内容のうち、コピー、再生、削除はマイコンシステム１４におけるROMに格納されたプログラムが主体となって実現される。図７、図８、図９、図１０はこのプログラムの処理手順を示すフローチャートであり、以降これらのフローチャートを参照しながら、マイコンシステム１４によるコピー、再生、削除の処理手順について説明する。
【００３８】
ステップＳ１〜ステップＳ２は、本フローチャートのメインルーチンにあたる処理であり、SDカード１０２との同期を行うか(図７のステップＳ１)、録画コンテンツの一覧表示を行うか(ステップＳ２)の指示をユーザに仰ぐ。
録画コンテンツの一覧表示が表示されれば、HDD１における録画コンテンツのコンテンツナビを一覧表示して(ステップＳ３)、先頭のコンテンツナビをフォーカス状態にする(ステップＳ４)。以降、ステップＳ５〜ステップＳ８からなるイベント待ちループになる。
【００３９】
リモコンの矢印キーが押下されれば(ステップＳ５でYes)、現在フォーカス状態にあるコンテンツナビを通常状態に戻し、矢印の方向にあるコンテンツナビをフォーカス状態に設定して(ステップＳ９)ステップＳ５に戻る。これにより、ユーザの矢印キーの押下に応じて、各コンテンツナビの状態が変化することになる。コンテンツナビがフォーカス状態になっており、処理の対象になった録画コンテンツを”録画コンテンツy”と呼ぶ。
【００４０】
再生操作が選択されると(ステップＳ６でYes)、録画コンテンツyの再生を、MPEG2デコーダ５に開始させる(図８のステップＳ１０)。その後、停止操作がなされるのを待ち(ステップＳ１１)、停止操作がなされれば、録画コンテンツyの再生停止をMPEG2デコーダ５に命じて(ステップＳ１２)、現在の視聴位置をレジューム情報yに設定し(ステップＳ１３)、ステップＳ５〜ステップＳ８からなるイベント待ちループに戻る。
【００４１】
コピー操作が選択されると(ステップＳ７でYes)、録画コンテンツyの動画ストリームを再エンコードしてSDカード１０２にコピーし(ステップＳ１４)、SDカード１０２からMedia-IDを取り出して(ステップＳ１５)、読み出されたMedia-IDと、録画コンテンツyの録画日時とを対応づけたコピー履歴をHDD１上に生成して、ステップＳ５〜ステップＳ８からなるイベント待ちループに戻る(ステップＳ１６)。
【００４２】
削除操作が選択されると、録画コンテンツyの動画ストリームを削除し(ステップＳ１７)、録画コンテンツyのレジューム情報yに削除済みを示すFFFF FFFFを設定して、ステップＳ５〜ステップＳ８からなるイベント待ちループに戻る(ステップＳ１８)。
HDD１における録画コンテンツの一覧表示(ステップＳ３)は、コンテンツの再生やコピー、削除なされる度に、実行される。つまり再生やコピーが行われる度に、最新の状態を示すよう、一覧表示の更新を行うのである。録画コンテンツの一覧表示は、図９は、ステップＳ３の詳細手順を示すフローチャートであり、HDD１に記録されたコンテンツのリストの表示を実行するサブルーチンとしてコンピュータ記述言語により記述される。
【００４３】
図９のフローチャートは、HDD１における各録画コンテンツに対し、ステップＳ２３〜ステップＳ２８の処理を行うというループ構造を持っている(ステップＳ２１、ステップＳ２２)。このループ構造において、処理対象たる録画コンテンツを録画コンテンツxと表記する。ステップＳ２３〜ステップＳ２８は、録画コンテンツxの録画開始日時、終了日時、録画チャネルをコンテンツナビxに表示し(ステップＳ２３)、コンテンツナビの状態欄を更新する(ステップＳ２４〜ステップＳ２６)との処理を行う。
【００４４】
状態欄の更新は、ステップＳ２４、ステップＳ２５、ステップＳ２６の何れかで実行される。ステップＳ２７、ステップＳ２８は、ステップＳ２４、ステップＳ２５、ステップＳ２６の何れで状態欄の更新を実行するかの切り換えを行う。コンテンツナビxの状態欄に「コピー済み」と表示するのは(ステップＳ２４)、録画コンテンツxにコピー履歴が新たに生成されたと判定された場合(ステップＳ２７でYes)である。
【００４５】
一方、コンテンツナビxの状態欄を「未視聴」と表示するのは(ステップＳ２５)、新たなコピー履歴が生成されておらず(ステップＳ２７でNo)、録画コンテンツxのレジューム情報xが0000 0000hを示している場合である(ステップＳ２８でYes)。コンテンツナビxの状態欄を「視聴済み」と表示するのは(ステップＳ２６)、新たなコピー履歴が生成されておらず(ステップＳ２７でNo)、録画コンテンツxのレジューム情報xが0000 0000h以外の値を示している場合である(ステップＳ２８でNo)。
【００４６】
録画コンテンツが再生され(ステップＳ１０〜ステップＳ１２)、レジューム情報が更新されると(ステップＳ１３)、ステップＳ３における一覧表示にて、コンテンツナビの状態欄が「未視聴」から「視聴済み」に更新されることになる(ステップＳ２６)。録画コンテンツがコピーされ(ステップＳ１４〜ステップＳ１５)、コピー履歴が新たに生成されると(ステップＳ１６)、ステップＳ３における一覧表示にて、コンテンツナビの状態欄が「視聴済み」から「コピー済み」に更新されることになる(ステップＳ２４)。
【００４７】
コピーや再生に応じて状態欄が更新されるので、どの録画コンテンツを視聴し、どの録画コンテンツが未視聴したか、どの録画コンテンツがコピー済みであるかが一目で明らかとなる。
SDカード１０２との同期が選択されると、図１０のフローチャートに従い、SDカード１０２における録画コンテンツに対し、レジューム情報の同期処理を行う。具体的にいうと、SDカード１０２におけるMedia-IDを検出して(ステップＳ３１)、ステップＳ３２〜ステップＳ３３からなるループ処理に移行する。このループ処理は、ステップＳ３４〜ステップＳ４２の処理を、SDカード１０２における各録画コンテンツについて繰り返すものである。
【００４８】
ここで、処理の対象となるSDカード１０２側の録画コンテンツを録画コンテンツjと呼ぶ。一方、この録画コンテンツjと同一性をもつHDD１側の録画コンテンツを録画コンテンツiと呼ぶ。この録画コンテンツiがどのように決めるのかというと、SDカード１０２における録画コンテンツjと同一性をもつ録画コンテンツが存在するかどうかを探索するにて決定する。具体的には、SDカード１０２における録画コンテンツjの録画日時jを検出し(ステップＳ３４)、検出されたメディアID、録画日時jの組を示したコピー履歴をもつ録画コンテンツがHDD１に存在するかという探索で(ステップＳ３５)、録画コンテンツiは決定される。
【００４９】
録画日時と、メディアIDとの組みをもった録画コンテンツを、同一性をもつ録画コンテンツiとして検出したが、録画日時と、メディアIDと、チャネルとが全て一致した録画コンテンツiを、同一性をもつ録画コンテンツiとして検出してもよい。チャネルを用いて同一性の判定を行えば、同一時間帯において異なるチャネルで放送された複数放送コンテンツがHD１に記録されている場合であっても、放送コンテンツの同一性を的確に判定することができる。
【００５０】
録画コンテンツiが決定されれば、ステップＳ３６、ステップＳ３７の判定を経て録画コンテンツiのレジューム位置i、録画コンテンツjのレジューム位置jをHDD１及びSDカード１０２のチャプターとして登録し(ステップＳ３８)、ステップＳ３９〜ステップＳ４１にてレジューム情報の同期を行う。
ステップＳ３８において、レジューム位置がチャプターとしてHDD１及びSDカード１０２に登録されるので、ユーザがチャプタージャンプの操作を行えば、SDカード１０２におけるレジューム位置や、HDD１におけるレジューム位置から自由に頭出しを行うことができる。
【００５１】
ステップＳ３９〜ステップＳ４１でのレジューム位置の同期は、レジューム位置iがレジューム位置jより先に進んでいるかを判定し(ステップＳ３９)、レジューム位置が先に進んでいれば、レジューム情報iを用いてレジューム情報jを上書きし(ステップＳ４０)、レジューム位置が先に進んでいれば、レジューム情報jを用いてレジューム情報iを上書きする(ステップＳ４１)という処理でなされる。ステップＳ４０、ステップＳ４１にて上書きが行われた後、録画コンテンツjにおけるナビの状態欄を、「コピー済み」から「視聴済み」に更新する(ステップＳ４２)。
【００５２】
ステップＳ３６、ステップＳ３７は、例外的な処理が必要か否かを判定するものであり、レジューム位置i、レジューム位置jの何れか一方が録画コンテンツの末尾を示しているか(ステップＳ３６)、録画コンテンツi、録画コンテンツjの何れか一方が削除済みであるか(ステップＳ３７)を判定している。もしそうであれば、削除確認のためのダイアログをポップアップし(ステップＳ４３)、削除に同意したなら(ステップＳ４４)、SDカード１０２における録画コンテンツiを、HDD１における録画コンテンツjと共に削除する(ステップＳ４５)。かかる削除を行うのは、一過性の放送コンテンツにてHDD１やSDカード１０２が占有されてしまうことを防止するためである。一過性の放送コンテンツとは、一度視聴すれば繰り返し視聴することはないとの性質をもった放送コンテンツであり、ニュースやバラエティ番組が該当する。一過性の放送コンテンツは、毎日、毎週というように逐次新たなものが放送されるので、これを順次蓄積してゆけば、HDD１、SDカード１０２の容量は、一過性の放送コンテンツにて占有されてしまう。このような事態を避けるべく、HDD１、SDカード１０２の何れか一方において、レジューム情報が放送コンテンツの末尾を指示した場合、HDD１、SDカード１０２の双方から放送コンテンツを一斉に削除することとしている。HDD１−SDカード１０２間の同期削除を行えば、一過性の放送コンテンツを頻繁に記録したとしても、HDD１−SDカード１０２が一過性の放送コンテンツにて占有されることはない。
【００５３】
以上のように構成されたHDレコーダ１００の動作例を、図１１、図１２、図１３を参照しながら説明する。図１１は、ユーザにより、HDD１、SDカード１０２、SD-Viewer１０３がどのように使用されるかを示す図である。放送コンテンツがHDレコーダ１００のHDD１に録画され(図１１（ａ）)、その放送コンテンツを含む録画コンテンツが、HDD１からSDカード１０２にコピーされたとする(図１１（ｂ）)。
【００５４】
録画コンテンツがコピーされたSDカード１０２は、SD-Viewer１０３に装着され(図１１（ｃ）)、屋外に持ち出される。SDカード１０２に記録された録画コンテンツを外出先で再生した後(図１１（ｄ）)、SDカード１０２は、SD-Viewer１０３から取り外され、HDレコーダ１００に再度接続される(図１１（ｅ）)。
図１２（ａ）は、HDレコーダ１００の状態を示す図であり、本動作例では、HDD１に録画コンテンツが記録され、この録画コンテンツの時点tm1までが視聴されている場合を想定している。時点tm1までが視聴されているので、レジューム情報はこの時点tm1を示している。
【００５５】
この図１２（ａ）の状態で、録画コンテンツがSDカード１０２にコピーされたとする。図１２（ｂ）が、このコピー後の状態を示す図である。このようにコピーがなされると、SDカード１０２にも録画コンテンツが記録され、この録画コンテンツのレジューム情報は時点tm1を指示することになる。
図１２（ｂ）に示すように録画コンテンツがSDカード１０２に記録され、SDカード１０２と、SD-Viewer１０３とが屋外に持ち出されたとする。屋外にて、時点tm2まで録画コンテンツが再生された場合、SDカード１０２におけるレジューム情報は図１２（ｃ）に示すようにこの時点tm2を指示することになる。
【００５６】
レジューム情報がこの時点tm2を指示した後、ユーザが帰宅し、SDカード１０２がHDレコーダ１００に再度装着されたものとする。図１３（ａ）は、この再装着の状態を示す図である。この場合、HDD１側のレジューム情報は、時点tm1を示したままなので、視聴位置は不一致である。
そのため、ユーザがレジューム情報の同期操作を実行したものとする。図１３（ｂ）は、同期後のレジューム情報を示す図である。レジューム情報が同期されると、HDD１側のレジューム情報は、SDカード１０２側と同じ時点tm2を示すこととなる。このため、ユーザは重複部分を視聴することはない。
【００５７】
図１４（ａ）は、HDD１における録画コンテンツの再生が更に進んだ状態を示す図である。録画コンテンツの末尾まで視聴位置が達し、ユーザがこの録画コンテンツを削除する操作を行ったものとする(図１４（ｂ）)。そうすると、破線部に示すように、録画コンテンツにおいて中核をなす動画ストリームが削除され、レジューム情報は削除済みを示すFFFF FFFFに設定される。
【００５８】
こうした削除後、再度視聴位置の同期操作をユーザが行ったものとする（図１４（ｃ））。HDD１側のレジューム情報が削除済みを示しているため、SDカード１０２側の録画コンテンツを、削除するという処理を行う(図１４（ｄ）)。これにより、HDD１−SDカード１０２から同じ録画コンテンツが削除されるので、HDD１−SDカード１０２の容量を確保することができる。
【００５９】
レジューム情報の同期にあたって、HDD１及びSDカード１０２におけるレジューム情報は、チャプターとして双方の記録媒体に登録される。図１５は、この登録の過程を示す図である。図１５（ａ）に示すように、HDD１側のレジューム情報が時点tm1を示しており、SDカード１０２側のレジューム情報が時点tm2を示している場合に、視聴位置の同期が行われると、図１５（ｂ）に示すように時点tm1,tm2がそれぞれチャプター1,2として、HDD１及びSDカード１０２のそれぞれに登録される。このようにチャプター1,2が登録された後、図１５（ｃ）に示すように再生が進んだとする。そして時点tm1,tm2まで視聴位置を戻したい場合、ユーザはチャプタージャンプの操作を行う。そうすれば、図１５（ｄ）に示すように、チャプター1、チャプター2に自在に頭だしを行うことができる。
【００６０】
以上のように本実施形態によれば、コピー操作によりHDD１、SDカード１０２の双方にコンテンツが記録されている場合、これらの視聴位置を同期させるようレジューム情報の更新を行うので、SDカード１０２側の再生が進んでいる場合であっても、HDD１側の再生が進んでいる場合であっても、ユーザは重複部分を視聴せずに済む。
尚、本実施形態におけるSDカード１０２とHDレコーダ１００との接続は、カードスロット９を介した物理的な接続であったが、ネットワークを介した論理的な接続であってもよい。かかる論理的な接続を行うには、SD-Viewer１０３と、HDレコーダ１００とが、USB或はIEEE1394インターフェイスを介して有線接続すればよい。そしてUSB或はIEEE1394インターフェイス上で、SD-Viewer１０３はレジューム情報をHDレコーダ１００に送信し、HDレコーダ１００は送信されたSDカード１０２におけるレジューム情報と、HDD１におけるレジューム情報とが同期するよう、レジューム情報を更新する。
【００６１】
また、SD-Viewer１０３と、HDレコーダ１００とが、ネットワーク上で通信を行い、リンク又はコネクションを確立してもよい。この場合、確立されたリンク又はコネクション上で、SD-Viewer１０３はレジューム情報をHDレコーダ１００に送信し、HDレコーダ１００は送信されたSDカード１０２におけるレジューム情報と、HDD１におけるレジューム情報とが同期するよう、レジューム情報を更新する。このようにすれば、HDレコーダ１００−SDカード１０２が互いに非接触であってもレジューム情報を同期させることができる。
【００６２】
また、本実施形態では、放送コンテンツの受信及び録画はHDレコーダ１００が行うものとしたが、SD-Viewer１０３が放送コンテンツを受信して録画するようにしてもよい。
更に、レジューム情報は、時間情報を用いて再生の再開位置を表現するのが望ましい。しかしDVD-Video規格のように、記録媒体上の論理アドレスで再生位置が表現されている場合は、論理アドレスと、時間情報との変換機能を再生装置に持たせておくことが望ましい。
【００６３】
SDカード１０２において録画コンテンツは、どのような形式で格納してもよい。例えばASF形式で格納しても構わない。ここで再生時点が記録媒体上の直接アドレスで記述されているような形式であれば直接アドレスと、時間情報との変換機能を再生装置に持たせておくことが望ましい。
(第２実施形態)
第２実施形態は、HDレコーダ１００のマルチユーザ対応を実現する実施形態である。マルチユーザ対応を実現するにあたって、HDD１における録画コンテンツは、図１６（ａ）に示すように構成される。図１６（ａ）は、第２実施形態のHDD１における録画コンテンツの構成を示す図である。図２と比較して本図が異なるのは、レジューム情報及びコピー履歴の組みが複数存在しており、これらの組みが、複数のユーザA,B,C,Dのそれぞれに割り当てられている点である。各組のコピー履歴内のMedia-IDは、各ユーザが所有するSDメモリカード(カードA,B,C,D)のMedia-IDを意味している。
【００６４】
一方、各SDカードにおける録画コンテンツは、図１６（ｂ）に示すように構成される。図１６（ｂ）は、第２実施形態におけるSDメモリカードの録画コンテンツの構成を示す図である。SDメモリカードにおける録画コンテンツは、一組だけレジューム情報を有している。そのため、SDメモリカードにおける録画コンテンツの構成は、第１実施形態のそれと変わりが無い。
【００６５】
HDD１には、ユーザが所有するSDメモリカード毎にコピー履歴が存在するので、レジューム情報の同期はSDメモリカード毎に行われることになる。つまり、ユーザAのSDメモリカードと、HDD１とのレジューム情報の同期を行う場合、ユーザAのSDメモリカードと同じMedia-IDを有するコピー履歴がHDD１内に存在するかを探索し、もし存在すれば、そのコピー履歴と組みになっているレジューム情報と、SDメモリカードにおけるレジューム情報とを同期する。こうすることで、レジューム情報をユーザ毎に同期することができる。
【００６６】
以上のように本実施形態によれば、1つの録画コンテンツに、レジューム情報及びコピー履歴の組みを複数設けることによりマルチユーザ対応を実現するので、録画コンテンツを効率的に利用することができる。
(第３実施形態)
第３実施形態は、第２実施形態の改良であり、SDカードの装着時に、自動的にHDD１からSDカード１０２へとコピーするというものである。
【００６７】
マイコンシステム１４は録画予約時において、将来コピー先となるSDカード１０２のMedia-IDをユーザから受け付けて、録画処理を行う。録画処理にあたってHDレコーダ１００は、このコピー先のMedia-IDを録画コンテンツの一情報要素としてHDD１に書き込んでおく。そして後日、そのMedia-IDをもったSDカード１０２がHDレコーダ１００に装填されれば、自動的に、そのSDカード１０２に、Media-IDをもった録画コンテンツをコピーする。
【００６８】
このようなコピーにて、録画予約後、別途コピー操作を行うとの手間が省けることになり、ユーザにとっての利便性が向上する。
(第４実施形態)
第１実施形態において、HDD１、SDカード１０２に記録されるのは、放送コンテンツを含む録画コンテンツであったが、第４実施形態は配信コンテンツを録画コンテンツとして、HDD１、SDカード１０２に記録することを特徴とする。配信コンテンツは、ネットワーク上に存在する配信サーバから配信されるコンテンツであり、オンデマンド式に配信される点で放送コンテンツとは異なる。配信コンテンツの記録のため、第４実施形態に係るHDレコーダ１００、SD-Viewer１０３は、ネットワークを介して配信サーバをアクセスし、配信コンテンツをダウンロードする。ダウンロードされる配信コンテンツは、MPEG4形式であることが望ましい。HDレコーダ１００、SD-Viewer１０３はこれらをダウンロードして、HDD１及びSDカード１０２のそれぞれに書き込む。HDD１、SDカード１０２に書き込まれた配信コンテンツが再生され、第１実施形態に示したようにSDカード１０２がHDレコーダ１００に再装填されたものとする。この場合HDレコーダ１００は、レジューム位置が同期するようにレジューム情報を更新する。
【００６９】
以上のように本実施形態によれば、配信コンテンツのダウンロードを、SD-Viewer１０３、HDレコーダ１００の双方が配信コンテンツのダウンロードを行う場合でも、第１実施形態同様、視聴位置の同期を実現することができる。
(第５実施形態)
第１実施形態において同期がなされるのは、”視聴位置”であり、あくまでも”点”と”点”との同期であった。第５実施形態ではそうではなく、”区間”と”区間”の同期を実現することを主眼とする。
【００７０】
同期の対象たる区間とは、実質的な視聴がなされた区間である。つまり倍速等で早送りがなされた部分は除外して、通常速度で再生された区間である。
区間にて同期を行うべく、第５実施形態におけるHDレコーダ１００は、以下のような手順を経て再生の履歴を表現する。
第５実施形態では、動画コンテンツの再生中に通常再生から早送りへの切り換えが行われた場合、その早送りの開始位置を再生停止位置とする。一方、早送りから通常再生への復帰が行われた場合、その通常再生への復帰位置を、再生開始位置とする。このようにすることで、動画コンテンツのうち早送りにより再生された区間は、再生された区間には扱われず、通常再生で再生された区間のみが再生履歴情報に表現されることになる。
【００７１】
図１７（ａ）は、通常再生から早送りへの切り換え位置を再生停止位置とし、早送りから通常再生への切り換え位置を再生開始位置とした場合に、再生履歴情報がどのように表されるかを示す図である。図１７（ａ）では、再生開始操作ty0と、再生停止操作ty5との間に、早送り開始操作ty1−通常再生の復帰操作ty2がなされ、早送り開始操作ty3−通常再生復帰操作ty4がなされているものとする。この場合、早送りが開始された位置ty1が、y回目の再生停止位置になり、通常再生への復帰がなされた位置ty2がy+1回目の再生開始位置になる。早送りが開始された位置ty3が、y+1回目の再生停止位置になり、通常再生への復帰がなされた位置ty4がy+2回目の再生開始位置になる。最後に、動画コンテンツxの再生停止操作がなされた箇所は、y+2回目の再生停止位置になる。図１７（ｂ）は、図１７（ａ）の再生が行われた場合に再生区間がどのように表現されるかを示す図であり、図１７（ｃ）は、そのように表現された場合の、再生履歴情報の一例を示す図である。
【００７２】
通常再生された区間のみがレジューム情報で表現され、早送りされた区間は対象外となるので、ユーザが動画コンテンツを飛び飛びに視聴していった場合でも、ユーザがどのような箇所を視聴していったかが詳しく表示される。
”区間と区間との同期”とは、HDD１における再生区間と、SDカード１０２における再生区間との論理和演算(OR演算)を行い、その演算結果を、HDD１及びSDカード１０２双方の再生区間とすることでなされる。
【００７３】
図１８は、SDカード１０２において図１７（ｂ）に示すような再生区間が得られた場合、再生区間の同期がどのように行われるかを示す図である。Dメモリカード１０２において区間sc1、区間sc3があり(図１８（ａ）)、HDD１において区間hc1、区間hc2がある場合に(図１８（ｂ）)、区間の同期が行われると、これらの区間を重ね合わせた区間が、HDD１及びSDカード１０２における再生区間になる。これは再生区間の同期が、論理和演算で実現されるからである。これにより同期後のHDD１における再生区間は、区間wc1、区間wc2になり(図１８（ｃ）)、SDカード１０２における再生区間も区間wc1、区間wc2になる(図１８（ｄ）)。
【００７４】
この同期にて、HDD１、SDカード１０２における再生区間の末尾は、共に、再生区間の終端になる。この再生区間の終端は、最先の視聴位置、つまりレジューム情報を意味することから、第１実施形態と同様のレジューム情報の同期も行われることになる。
以上のように本実施形態によれば、SDカード１０２において早送りされた区間は、ログとして再生履歴情報に残らない。この再生履歴情報と、HDD１側の再生履歴情報との論理和演算をとれば、論理和後の再生履歴情報においてSDカード１０２において早送りされた区間が未視聴区間として現れる。そのため、SDカード１０２において早送りされた区間をHDD１で再生するという連携が容易に行なえる。
【００７５】
また、興味があるところのみ再生し、CMやつまらないと感じた区間は早送りしてゆくという再生において、実質的に再生がされている区間のみが再生履歴情報にて示され、この再生区間同士の論理和演算をとることで再生区間の同期を行うので、HDD１においてどの区間を早送りし、どの区間を再生したか、SDカード１０２においてどの区間を早送りし、どの区間を再生したかを、総合的に判断することができる。そのため、HDD１及びSDカード１０２のどちらか一方で視聴したコンテンツを、他方の記録媒体において再度視聴してしまうという重複視聴を避けることができる。
【００７６】
(第６実施形態)
第６実施形態は、HDD１及びSDカード１０２の双方に、録画コンテンツを書き込ませる技術を開示する。第６実施形態に係る録画制御部１６は録画予約時に、録画開始日時、録画終了日時の指定を受け付けると共に、HDD１のみを書込先とするか(i)、SDカード１０２のみを書込先とするか(ii)、HDD１、SDカード１０２の双方を書込先とするか(iii)の選択を受け付ける。
【００７７】
HDD１、SDカード１０２の双方を書込先とするとユーザが選択操作を行った場合、HDD１に記録された録画コンテンツをコピーするという手間を払わなくても、SDカード上に録画コンテンツを得ることができる。このようにコピーの手間を省くことにより、ユーザに対する利便性を高めることができる。
(第７実施形態)
第１実施形態では、HDD１側の録画コンテンツと、SDカード１０２側の録画コンテンツとの同一性があった場合、無条件にレジューム情報を更新していたが、第７実施形態はレジューム情報の更新に一応の制限を課す実施形態である。つまり、SDカード１０２が接続され、SDカード１０２における録画コンテンツと、HDD１における録画コンテンツとの同一性が判定された場合、第７実施形態に係る再生制御部１８は、HDD１又はSDカード１０２側の録画コンテンツの再生を行う。HDD１から再生を行う場合はHDD１側のレジューム情報を起点とし、SDカード１０２から再生を行う場合は、SDカード１０２側のレジューム情報を起点とする。そして再生制御部１８は、ユーザによりSDカード１０２が、HDレコーダ１００からイジェクトされるのを待つ。何の操作もなされなければ、再生を継続する。もしイジェクト操作がなされれば、イジェクトの直前に、第１実施形態同様、SDカード１０２側のレジューム情報を用いて、HDD１側のレジューム情報を上書きするか、又は、HDD１側のレジューム情報を用いて、SDカード１０２側のレジューム情報を上書きする。
【００７８】
以上のように本実施形態によれば、SDカード１０２がHDレコーダ１００から取り外される直前まで、レジューム情報の同期を猶予することができるので、レジューム情報の同期回数を一回限りにすることができる。またSDカードはカードスロットと接続したままなので、SDカード側の再生が終わった後、すぐに同期を行ったり、すぐに削除を行ったりすることができる。更に、複数ユーザで使用する場合、SDカード側のレジューム情報を使用することで、HDD側にレジューム情報を設ける必要がなくなり、HDD側の構成を簡単にすることができる。
【００７９】
尚、SDカード１０２のイジェクトをレジューム情報同期のトリガとしたが、予め決められた別の操作を、レジューム情報同期のトリガにしてもよい。またそのような旨の画像をユーザに伝えても良い。
(第８実施形態)
第１実施形態においてコピー制御部１７は、ユーザの外出時にHDドライブ１内の録画コンテンツ全体をコピーした。第８実施形態は、コピー制御部１７が録画コンテンツ全体ではなく、録画コンテンツの一部分をSDカード１０２に書き込む改良に関する。図１９は、第８実施形態に係る録画コンテンツのコピーを示す図である。本図は、図１２と同様の表記をもってコピー制御部１７によるコピーを示している。図１９においてHDドライブ１上の録画コンテンツを、ユーザが時点tm1まで視聴した後、コピーをコピー制御部１７に命じたとする。この場合コピー制御部１７は、図１９の下段に示すように、HDドライブ１上の録画コンテンツ全体ではなく、既に視聴している位置tm1以降の部分を、SDカード１０２にコピーする。こうすることにより、SDカード１０２に記録されるデータ量を削減することができる。
【００８０】
以上のように本実施形態によれば、HDドライブ１に記録されている録画コンテンツ全体ではなく、視聴位置以降をSDカード１０２にコピーするので、コピーに要する時間やSDカード１０２側の容量を節約することができる。
(第９実施形態)
第２実施形態において再生制御部１８は、SDカード１０２がHDレコーダ１００に接続した際、両録画コンテンツの視聴位置が同期するようレジューム情報を更新したが、本実施形態は、この同期時において、削除制御部１９がSDカード１０２側の録画コンテンツを一部削除する実施形態である。図２０は、第９実施形態に係る録画コンテンツの一部分削除を模式的に示す図である。本図の作図にあたって、図１３と同様の表記を採用している。図２０（ａ）での処理手順は、図１３（ａ）に示した第１実施形態の処理手順と同じであるが、それ以降の処理が異なる。つまり、図２０（ｂ）に示すように、時点tm2を示すようにHDドライブ１、SDカード１０２側のレジューム情報を更新した後、SDカード１０２上の録画コンテンツの先頭から、視聴位置である時点tm2までの部分を削除してしまうのである。これによりSDカード１０２におけるデータ占有量の削減が可能になるので、他のデータをSDカード１０２に書き込む余地が生まれる。
【００８１】
(第１０実施形態)
第１実施形態においてSDカード１０２をHDレコーダ１００に接続した際、再生制御部１８は先に進んでいる視聴位置に合わせるよう、レジューム情報を更新したが、本実施形態はこのレジューム情報の更新に係る。図２１は、第１０実施形態に係るレジューム情報同期処理を示す図である。本図は、図１３と同様の表記で、レジューム情報を同期する手順を示している。図２１（ａ）の段階の処理は、図１３（ａ）と同じであるが、図２１（ｂ）の段階が異なる。図２１（ａ）においてレジューム情報は、それまでの視聴位置tm2を示していたが、図２１（ｂ）においてレジューム情報は、その視聴位置tm2から所定の時間αだけ遡った視聴位置tm3(tm3=tm2-α)を示す。このαは、数秒〜数十秒というオーダであり、かかる位置をレジューム情報に設定することで、ユーザは僅かであるが、既に視聴した部分を重複して視聴することになる。このようなレジューム情報設定を行うのは、ユーザの記憶をリフレッシュするためである。つまりSDカード１０２からHDドライブ１へのリレー視聴を行う場合、SDカード１０２の視聴時点から相当時間経過していることが多く、それまでの視聴位置直後から再生装置が再生を開始しても、なかなか録画コンテンツの再生に没頭できない。そこで本実施形態に示したように、視聴位置の少し前から再生を開始する。こうすることでユーザの記憶のリフレッシュが可能になり、リレー視聴が好適に行える。
【００８２】
(第１１実施形態)
第１実施形態では、視聴位置を同期するようレジューム情報を更新したが、本実施形態において再生制御部１８は、SDカード１０２側の録画コンテンツにブックマークが設定されている場合、HDドライブ１側の録画コンテンツにも同様のブックマークを設定する。
図２２は、第１１実施形態に係るブックマーク設定を示す図である。図２２は、図１３と同様の表記で、本実施形態におけるブックマーク設定を示している。図２２（ａ）は、ユーザが外出から帰宅し、SDカード１０２をHDレコーダ１００に装着した時点を示している。この状態において、SDカード１０２における録画コンテンツの時点tm4を示すブックマークが設定されている。そして再生制御部１８は、このSDカード１０２側の録画コンテンツの視聴位置を、HDドライブ１側に設定する。
【００８３】
これにより、HDドライブ１上の録画コンテンツのうち、SDカード１０２側のブックマークにより指示されている視聴位置tm4と同じ視聴位置tm4がこのブックマークにより指示されることになる。そのためこのブックマークから頭出しを行うことにより、SDカード１０２においてブックマークが設定されていた位置と同じ位置から再生を開始することができる。
【００８４】
以上のように本実施形態によれば、SDカード１０２側でユーザがブックマークを設定した位置と同じ位置をHDドライブ１上の録画コンテンツに設定するので、SDカード１０２側で既に見たシーンをHDドライブ１側の高画質な録画コンテンツにより視聴し直すことが容易になる。とりあえずの視聴はSDカード１０２側で行い、本腰を据えた視聴は、HDレコーダでするという役割分担が可能になるので、リレー視聴のメリットが活かされる。
【００８５】
ここで再生制御部１８は、HDD1からSDカード１０２に、ブックマークをコピーしてもよい。
(第１２実施形態)
第１２実施形態は、録画コンテンツ及びレジューム情報の記録方式の実施形態である。録画コンテンツ及びレジューム情報の記録形態には、コンテンツ及びレジューム情報を一体のファイルとして格納している形態、録画コンテンツ及びレジューム情報を別々のファイルとして記録している形態がある。
【００８６】
このように別々のファイルとする場合は、ファイル名でこれらを関連付ける。一般にファイル名は、「ファイルボディ＋拡張子」からなるので、このうちファイルボディを共通にすることにより、レジューム情報−コンテンツを関連付けるのである。また同じディレクトリに格納することにより、関連付けるのもよい。。
HDドライブ１において録画コンテンツ及びレジューム情報が、同一のファイルに格納されている場合のコピー制御部１７、再生制御部１８の処理は以下の通りである。
【００８７】
コピー制御部１７は、そのファイルをSDカード１０２にコピーする。
一方再生制御部１８は、HDドライブ１及びSDカード１０２において、録画コンテンツと同じファイル内に格納されているレジューム情報に対して更新を行う。
HDドライブ１において録画コンテンツ及びレジューム情報が、別々のファイルに格納されている場合のコピー制御部１７、再生制御部１８の処理は以下の通りである。
【００８８】
コピー制御部１７は、同じファイルボディを有する2つのファイルをHDドライブ１からSDカード１０２にコピーすることにより、録画コンテンツを格納したファイル及びレジューム情報を格納したファイルを、SDカード１０２上に得る。
一方再生制御部１８は、HDドライブ１及びSDカード１０２において、録画コンテンツと同じファイルボディを有するファイルに格納されているレジューム情報に対して更新を行う。
【００８９】
以上のように本実施形態によれば、レジューム情報及び録画コンテンツを一個のファイルに格納したり、関連付けたファイルとすることにより、コピーやレジューム情報の更新を効率的に行うことができる。
(第１３実施形態)
第２実施形態では、SDカード１０２をユーザ毎に所有したが、本実施形態は、家庭内の複数ユーザが一枚のSDカード１０２を共用する構成を開示する。図２３は、かかる共有を行う場合のレジューム情報の構成を示す図である。本図が、第１実施形態に示したレジューム情報と異なるのは、SDカード１０２に格納された1つのコンテンツにおいて、複数のレジューム情報が存在しており、個々のレジューム情報には、機器IDが示されている点である。この機器IDは、レジューム情報を用いた再生再開の対象となる機器を示す。つまり1つ目のレジューム情報に、機器Aを示す機器IDが付加されていれば、この機器AにSDカード１０２を接続した際、機器Aは、1つ目のレジューム情報に示される時点から再生を再開する。
【００９０】
2つ目のレジューム情報に、機器Bを示す機器IDが付加されていれば、この機器にSDカード１０２を接続した際、機器Bは、2つ目のレジューム情報に示される時点から再生を再開する。
機器A,Bとの接続時において同じコンテンツを別々の時点から再生を再開することができるので、機器Aを父が、機器Bをその息子が所有していて、SDカード１０２が共有されており、父・息子が同じコンテンツをSDカード１０２に記録しようとした場合、父・息子は、1つの録画コンテンツを、別々の時点から再生させることができる。
【００９１】
かかるレジューム情報の記録を実現するため、本実施形態に係るコピー制御部１７は、SDカード１０２に録画コンテンツを記録する場合、コピーしようとする録画コンテンツが既にSDカード１０２に存在するかどうかを判定する。もし存在しなければ、第１実施形態と同様の処理を行うが、存在すれば、HDレコーダ１００の機器IDと対応づけて、レジューム情報をSDカード１０２に書き込む。
【００９２】
またかかるレジューム情報による再生を実現するため、本実施形態に係る再生制御部１８は、再生すべき録画コンテンツに、自機の機器IDが対応づけられたレジューム情報が存在するかどうかを判定する。もし存在すれば、レジューム情報のうち機器IDが付加されたものを用いて、HDドライブ１側のレジューム情報を更新する。
以上のように本実施形態によれば、SDカード１０２をアクセスするHDレコーダ１００は、自機の機器IDが付加されたレジューム情報を用いて再生を行うので、複数のユーザが1つのSDカード１０２を共有したとしても、ユーザ各人が所有している機器をもって、それぞれ独自の時点から、録画コンテンツの再生を再開させることができる。そしてSDカード１０２とHDD１間の同期は、ユーザのHDレコーダ１００に関連付けられたレジューム情報において実行することができる。
【００９３】
同じコンテンツをユーザ毎に記録せずとも、自分の視聴位置からコンテンツの再生を再開させることができるので、SDカード１０２の共用に有利である。
（備考）
上記実施形態に基づいて説明してきたが、現状において最善の効果が期待できるシステム例として提示したに過ぎない。本発明はその要旨を逸脱しない範囲で変更実施することができる。代表的な変更実施の形態として、以下(A)(B)(C)・・・・のものがある。
【００９４】
(A) 第１実施形態〜第１３実施形態におけるHDレコーダ１００は、テレビ１０１と接続して利用されるタイプのHDレコーダ１００であったが、液晶型ディスプレィと一体型となったHDレコーダ１００であってもよい。また、第１実施形態に示したHDレコーダ１００は、AV機能を備えたパーソナルコンピュータであってもよい。更にHDレコーダ１００は、HDドライブ−MPEG2エンコーダ等を予め内蔵していたが、これらを具備せず、IEEE1394コネクタを介して接続されていてもよい。加えて、各実施形態のHDレコーダ１００において、処理の本質的部分をなすマイコンシステムのみを、HDレコーダ１００としてもよい。
【００９５】
これらのHDレコーダ１００は、何れも本願明細書に記載された発明であるから、これらの何れの態様であろうとも、第１実施形態〜第１３実施形態に示したHDレコーダ１００の内部構成を元に、HDレコーダ１００を製造する行為は、本願の明細書に記載された発明の実施行為になる。第１実施形態〜第１３実施形態に示したHDレコーダ１００の有償・無償による譲渡(有償の場合は販売、無償の場合は贈与になる)、貸与、輸入する行為も、本発明の実施行為である。HDレコーダ１００の製品、半製品を所持して、店頭展示、カタログ勧誘、パンフレット配布により、これら製品、半製品の譲渡や貸渡を、一般ユーザに申し出る行為も本HDレコーダ１００の実施行為である。
【００９６】
(B)図７〜図１０に示したプログラムによる情報処理は、CPU、MPEGエンコーダ、HDドライブといったハードウェア資源を具体的に利用していることから、このプログラムは、単体で発明として成立する。第１実施形態〜第１３実施形態は、HDレコーダ１００に組み込まれた態様で、本発明に係るプログラムの実施行為についての実施形態を示したが、HDレコーダ１００から分離して、第１実施形態〜第１３実施形態に示したプログラム単体を実施してもよい。プログラム単体の実施行為には、これらのプログラムを生産する行為(1)や、有償・無償によりプログラムを譲渡する行為(2)、貸与する行為(3)、輸入する行為(4)、双方向の電子通信回線を介して公衆に提供する行為(5)、店頭展示、カタログ勧誘、パンフレット配布により、プログラムの譲渡や貸渡を、一般ユーザに申し出る行為(6)がある。
【００９７】
双方向の電子通信回線を介した提供行為(5)の類型には、提供者が、プログラムをユーザに送り、ユーザに使用させる行為や(プログラムダウンロードサービス)、プログラムを提供者の手元に残したまま、そのプログラムの機能のみを電子通信回線を通じて、ユーザに提供する行為(機能提供型ASPサービス)がある。
(C)図７〜図１０のフロ−チャ−トにおいて時系列に実行される各ステップの「時」の要素を、発明を特定するための必須の事項と考える。そうすると、これらのフロ−チャ−トによる処理手順は、再生方法の使用形態を開示していることがわかる。これらのフロ−チャ−トこそ、本発明に係る再生方法の使用行為についての実施形態である。各ステップの処理を、時系列に行うことで、本発明の本来の目的を達成し、作用及び効果を奏するよう、これらのフロ−チャ−トの処理を行うのであれば、本発明に係る再生方法の実施行為に該当することはいうまでもない。
【００９８】
(D)第１実施形態〜第１３実施形態では、HDレコーダ１００における内蔵媒体をHDとして説明を進めたが、このHDの物理的性質は、本発明の作用・効果の発揮にさほど貢献していない。HD同様、放送番組を記録し得る容量をもった記録媒体であるなら、他の記録媒体を採用してもよい。例えば、HD以外のDVD-R,DVD-RW,DVD-RAM.DVD+R,DVD+RW,CD-R,CD-RW,Blu-ray Disc等の他の光ディスクであってよいことはいうまでもない。またPD,MO等の光磁気ディスクであってもよい。 
【００９９】
更に、可搬媒体をSDメモリカードとして説明を行ったが、コンパクトフラッシュ（登録商標）カード、スマートメディア、メモリスティック、マルチメディアカード、PCMCIAカード等の半導体メモリカードであってもよい。フレシキブルディスク、SuperDisk,Zip,Clik!等の磁気記録ディスク、ORB,Jaz,SparQ,SyJet,EZFley,マイクロドライブ等のリムーバルハードディスクドライブであってもよい。加えて、SD-Viewer自体が、メモリ又はHDを内蔵した可搬媒体として使用されてもよい。
【０１００】
(E)第１実施形態〜第１３実施形態におけるコンテンツは、アナログ放送で放送されたアナログ映像信号をエンコードすることにより得られたVOBであったが、デジタル放送で放送されたトランスポートストリームから構成されるストリームデータであってもよい。
またビデオテープに記録されているアナログ／デジタルの映像信号をエンコードしてコンテンツを得ても良い。更にビデオカメラから直接取り込んだアナログ／デジタルの映像信号をエンコードしてコンテンツを得ても良い。他にも、予め記録媒体に記録されて配布される映画等のデジタル著作物であってもよいし、配信サーバにより配信されるデジタル著作物でもよい。
【０１０１】
(I)第１実施形態〜第１３実施形態では、ユーザによる録画コンテンツの選択操作を、リモコンから受け付けたが、再生装置のフロントパネルから受け付けてもよい。キーボード、タッチパネル、マウスやパッド、トラックボール等の入力機器にてユーザの指定を受け付けてもよい。この場合は、クリック操作、ドラッグ操作でこれらの操作を受け付けてもよい。
【産業上の利用可能性】
【０１０２】
本発明に係る再生装置は、SDカードとの連携を高める点で、HDレコーダ等の商品価値を高めることができ、魅力ある商品を市場に投入することができる。そのため民生機器業界において高い利用可能性を有する。
【図面の簡単な説明】
【０１０３】
【図１】HDレコーダ１００の使用形態の一例を示す図である。
【図２】（ａ）本実施形態に係る録画コンテンツの構成を示す図である。  （ｂ）レジューム情報のビットアサインを示す図である。
【図３】（ａ）コピー履歴の一例を示す図である。  （ｂ）HDD１上での録画コンテンツの形態を示す図である。  （ｃ）SDカード１０２上での録画コンテンツの形態を示す図である。
【図４】HDレコーダ１００の内部構成を示す図である。
【図５】プログラムと、ハードウェア資源とが協動した具体的手段を機能的に記載した構成図である。
【図６】（ａ）コンテンツナビの一例を示す図である。  （ｂ）コンテンツナビにおける状態欄、録画日時欄、チャネル欄、タイトル欄を、具体例に置き換えて描いた図である。
【図７】マイコンシステム１４におけるプログラムの処理手順を示すフローチャートである。
【図８】マイコンシステム１４におけるプログラムの処理手順を示すフローチャートである。
【図９】マイコンシステム１４におけるプログラムの処理手順を示すフローチャートである。
【図１０】マイコンシステム１４におけるプログラムの処理手順を示すフローチャートである。
【図１１】ユーザにより、HDD１、SDカード１０２、SD-Viewer１０３がどのように使用されるかを示す図である。
【図１２】（ａ）HDレコーダ１００の動作の初期状態を示す図である。  （ｂ）録画コンテンツがHDレコーダ１００からSDカード１０２に記録された状態を示す図である。  （ｃ）SDカード１０２における録画コンテンツの再生進行に伴い、レジューム情報がどのように更新されるかを示す図である。
【図１３】（ａ）SDカード１０２の再装着の状態を示す図である。  （ｂ）同期後のレジューム情報を示す図である。
【図１４】（ａ）〜（ｄ）HDD１における録画コンテンツの再生が更に進み、削除される過程を示す図である。
【図１５】（ａ）HDD１側のレジューム情報が時点tm1を示しており、SDカード１０２側のレジューム情報が時点tm2を示している場合を示す図である。  （ｂ）チャプター1,2が、HDD１及びSDカード１０２のそれぞれに登録される過程を示す図である。  （ｃ）チャプター1,2が登録された後、再生が進行した状態を示す図である。  （ｄ）チャプター1、チャプター2への頭だしを示す図である。
【図１６】（ａ）第２実施形態のHDD１における録画コンテンツの構成を示す図である。  （ｂ）第２実施形態におけるSDメモリカードの録画コンテンツの構成を示す図である。
【図１７】（ａ）通常再生から早送りへの切り換え位置を再生停止位置とし、早送りから通常再生への切り換え位置を再生開始位置とした場合に、再生履歴情報がどのように表されるかを示す図である。  （ｂ）図１７（ａ）の再生が行われた場合に再生区間がどのように表現されるかを示す図である。  （ｃ）再生履歴情報の一例を示す図である。
【図１８】SDカード１０２において図１７（ｂ）に示すような再生区間が得られた場合、再生区間の同期がどのように行われるかを示す図である。
【図１９】第８実施形態に係る録画コンテンツのコピーを示す図である。
【図２０】第９実施形態に係る録画コンテンツの一部分削除を模式的に示す図である。
【図２１】第１０実施形態に係るレジューム情報同期処理を示す図である。
【図２２】図１３と同様の表記で、本実施形態におけるブックマーク設定を示している。
【図２３】共有を行う場合のレジューム情報の構成を示す図である。
【図１】
2006527455.tif 000003
【図２】
2006527455.tif 000004
【図３】
2006527455.tif 000005
【図４】
2006527455.tif 000006
【図５】
2006527455.tif 000007
【図６】
2006527455.tif 000008
【図７】
2006527455.tif 000009
【図８】
2006527455.tif 000010
【図９】
2006527455.tif 000011
【図１０】
2006527455.tif 000012
【図１１】
2006527455.tif 000013
【図１２】
2006527455.tif 000014
【図１３】
2006527455.tif 000015
【図１４】
2006527455.tif 000016
【図１５】
2006527455.tif 000017
【図１６】
2006527455.tif 000018
【図１７】
2006527455.tif 000019
【図１８】
2006527455.tif 000020
【図１９】
2006527455.tif 000021
【図２０】
2006527455.tif 000022
【図２１】
2006527455.tif 000023
【図２２】
2006527455.tif 000024
【図２３】
2006527455.tif 000025
【国際調査報告】
2006527455.tif 000026
2006527455.tif 000027